(57)【要約】【課題】発熱体を収納した発熱体収容箱の冷却装置において、冷却装置から発生する騒音を低減することを目的とする。【解決手段】冷却装置１は、本体ケース４と、熱交換器５と、前記本体ケース４を覆う屋外カバー３とを備え、前記本体ケース４の背面部９は、室内吸気口１０および室内吐出口１１を有し、前記本体ケース４の正面部６は、室外吸気口１２および室外吐出口１３を有し、前記屋外カバー３の前面部１６は、吸込開口２０および吹出開口２１を有し、前記吸込開口２０は、第１吸込開口２０ａおよび第２吸込開口２０ｂからなり、前記外気送風機１５により前記吸込開口２０を通過する外気は、前記第１吸込開口２０ａを通過し、上方または下方または横方向に曲げられた後に前記第２吸込開口２０ｂを通過することとなり、前記吸込開口２０の下端は前記室外吸気口１２の上端よりも高いか、或いは、前記吸込開口２０の上端は前記室外吸気口１２の下端よりも低い。【選択図】図６
2017150768.tif 000002
【特許請求の範囲】
【請求項１】
本体ケースと、
前記本体ケースの内部に設けられた熱交換器と、
前記本体ケースを覆う屋外カバーとを備え、
発熱体収納箱の内部の空気である内気を冷却する冷却装置であって、
前記本体ケースは、正面部、上面部、側面部、下面部、背面部からなり、
前記背面部は、室内吸気口および室内吐出口を有し、
前記正面部は、室外吸気口および室外吐出口を有し、
前記屋外カバーは、前面部、上面部、側面部、下面部からなり、
前記前面部は、吸込開口および吹出開口を有し、
前記内気の一部は、内気送風機により、前記発熱体収納箱から前記室内吸気口を介して前記本体ケース内へ吸い込まれ、前記熱交換器を通って、前記室内吐出口から前記発熱体収納箱へ吐き出され、
外気の一部は、外気送風機により、外部から前記吸込開口および前記室外吸気口を介して前記本体ケース内へ吸い込まれ、前記熱交換器および前記室外吐出口を通って、前記吹出開口から外部へ吹き出され、
前記吸込開口は、第１吸込開口および第２吸込開口からなり、
前記外気送風機により前記吸込開口を通過する外気は、前記第１吸込開口を通過し、上方または下方または横方向に曲げられた後に前記第２吸込開口を通過することとなり、
前記吸込開口の下端は前記室外吸気口の上端よりも高いか、或いは、前記吸込開口の上端は前記室外吸気口の下端よりも低いことを特徴とする冷却装置。
【請求項２】
前記屋外カバーの前記側面部は側面吸込開口を有し、
前記本体ケースの前記室外吸気口の高さ範囲が前記側面吸込開口の上端と下端との間の範囲に収まるように、前記室外吸気口が配置されていることを特徴とする請求項１に記載の冷却装置。
【請求項３】
前記吹出開口は、第１吹出開口および第２吹出開口からなり、
前記外気送風機により前記吹出開口を通過する外気は、前記第２吹出開口を通過し、上方または下方または横方向に曲げられた後に前記第１吹出開口を通過することとなり、
前記吹出開口の下端は前記室外吐出口の上端よりも高いか、或いは、前記吹出開口の上端は前記室外吐出口の下端よりも低いことを特徴とする請求項１または２に記載の冷却装置。
【請求項４】
前記吹出開口の下端は前記室外吐出口の上端よりも高く、
屋外カバーの前記側面部は側面吹出開口を有し、
前記側面吹出開口の下端は、前記本体ケースの前記室外吐出口の上端よりも高いことを特徴とする請求項３に記載の冷却装置。
【請求項５】
前記屋外カバーの前記側面部は側面吸込開口を有し、
前記屋外カバーの前記下面部は下面吸込開口を有し、
前記屋外カバーの前記前面部において、前記吹出開口の開口面積は、前記吸込開口の開口面積よりも大きいことを特徴とする請求項１〜４の何れか１項に記載の冷却装置。
【請求項６】
前記第２吸込開口は複数のルーバの隙間により構成されており、
前記ルーバは傾斜部を含み、
前記傾斜部は下方から上方に向かって前記本体ケースの側に傾斜していることを特徴とする請求項１〜５の何れか１項に記載の冷却装置。
【請求項７】
前記吸込開口は、前記第１吸込開口と前記第２吸込開口との間に第３吸込開口を有し、
前記外気送風機により前記吸込開口を通過する外気は、前記第１吸込開口を通過し、上方または下方または横方向に曲げられた後に前記第３吸込開口を通過し、さらに上方または下方または横方向に曲げられた後に前記第２吸込開口を通過することを特徴とする請求項１〜６の何れか１項に記載の冷却装置。
【請求項８】
前記外気送風機により前記第１吸込開口を通過したすべての外気は、前記第２吸込開口を通過することが完了する前に上方または下方または横方向に曲げられることを特徴とする請求項１〜７の何れか１項に記載の冷却装置。
【請求項９】
前記吸込開口の正面投影開口面積はゼロであることを特徴とする請求項１〜８の何れか１項に記載の冷却装置。
【発明の詳細な説明】
【技術分野】
【０００１】
本発明は、発熱体を収納した発熱体収容箱の冷却装置等に関するものである。
【背景技術】
【０００２】
発熱体としては例えばパワーコンディショナー等があるが、パワーコンディショナーは太陽光発電システム等で使用される。
【０００３】
パワーコンディショナーは変電設備としてコンテナ等の発熱体収納箱の内部に収納され、コンテナは通常屋外に設置されている。パワーコンディショナーは直流電流を交流電流に変換する装置であり、発熱するため、コンテナ等を冷却する必要がある。
【０００４】
冷却のための電力消費を抑えるため、コンテナの内部空間を冷却する空気調和機と、コンテナの内部空間を換気する換気扇と、空気調和機および換気扇の使用を選択する制御装置とを備えた変電設備が提案されている（例えば、特許文献１参照）。
【０００５】
また、換気扇の代わりに、外気を利用して、より電力消費を抑えることができる熱交換機としての冷却装置も提案されている（例えば、特許文献２参照）。
【先行技術文献】
【特許文献】
【０００６】
【特許文献１】特開２０１４−２２０８７８号公報
【特許文献２】特開２００６−３３６８９５号公報
【発明の概要】
【発明が解決しようとする課題】
【０００７】
このような熱交換機としての冷却装置は、発熱体収容箱の壁面に設けられ、屋外に露出する構造となっている。この冷却装置は屋外循環用送風機と屋内循環用送風機が必要であるため、送風機から騒音が発生することとなる。
【０００８】
一方、発熱体収容箱は隣地との敷地境界線付近に設置される可能性もあるため、冷却装置から発生する騒音が課題になっていた。
【０００９】
そこで本発明は、上記従来の課題を解決するものであり、冷却装置から発生する騒音を低減することを目的とする。
【課題を解決するための手段】
【００１０】
そして、この目的を達成するために、本発明の一態様に係る冷却装置は、本体ケースと、前記本体ケースの内部に設けられた熱交換器と、前記本体ケースを覆う屋外カバーとを備え、発熱体収納箱の内部の空気である内気を冷却する冷却装置であって、前記本体ケースは、正面部、上面部、側面部、下面部、背面部からなり、前記背面部は、室内吸気口および室内吐出口を有し、前記正面部は、室外吸気口および室外吐出口を有し、前記屋外カバーは、前面部、上面部、側面部、下面部からなり、前記前面部は、吸込開口および吹出開口を有し、前記内気の一部は、内気送風機により、前記発熱体収納箱から前記室内吸気口を介して前記本体ケース内へ吸い込まれ、前記熱交換器を通って、前記室内吐出口から前記発熱体収納箱へ吐き出され、外気の一部は、外気送風機により、外部から前記吸込開口および前記室外吸気口を介して前記本体ケース内へ吸い込まれ、前記熱交換器および前記室外吐出口を通って、前記吹出開口から外部へ吹き出され、前記吸込開口は、第１吸込開口および第２吸込開口からなり、前記外気送風機により前記吸込開口を通過する外気は、前記第１吸込開口を通過し、上方または下方または横方向に曲げられた後に前記第２吸込開口を通過することとなり、前記吸込開口の下端は前記室外吸気口の上端よりも高いか、或いは、前記吸込開口の上端は前記室外吸気口の下端よりも低いことを特徴としたものであり、これにより所期の目的を達成するものである。
【発明の効果】
【００１１】
本発明によれば、冷却装置の送風機の騒音は、屋外カバーの吸込開口または吹出開口において１回または複数回の回折をした後に外部へ伝わることとなるため、音が減衰し、冷却装置から発生する騒音を低減できる。
【図面の簡単な説明】
【００１２】
【図１】本発明の実施の形態１の冷却装置を示す斜視図
【図２】本発明の実施の形態１の冷却装置を示す斜視図
【図３】（ａ）同前面斜視図、（ｂ）同背面斜視図
【図４】同分解斜視図
【図５】同冷却装置の屋外カバーを示す図（ａ）同前面斜視図、（ｂ）同背面斜視図
【図６】同冷却装置の内部構成を示す図
【図７】同冷却装置の他の内部構成を示す図
【図８】同冷却装置の他の内部構成を示す図
【図９】同冷却装置の屋外カバーの第１吸込開口部の斜視図
【図１０】同冷却装置の屋外カバーの第２吸込開口部の斜視図
【図１１】同冷却装置の屋外カバーの開口部周辺での風の流れを示す図
【図１２】同冷却装置の他の屋外カバーの開口部周辺での風の流れを示す図
【図１３】同冷却装置の他の屋外カバーの開口部周辺での風の流れを示す図
【発明を実施するための形態】
【００１３】
本発明の一態様に係る冷却装置は、本体ケースと、前記本体ケースの内部に設けられた熱交換器と、前記本体ケースを覆う屋外カバーとを備え、発熱体収納箱の内部の空気である内気を冷却する冷却装置であって、前記本体ケースは、正面部、上面部、側面部、下面部、背面部からなり、前記背面部は、室内吸気口および室内吐出口を有し、前記正面部は、室外吸気口および室外吐出口を有し、前記屋外カバーは、前面部、上面部、側面部、下面部からなり、前記前面部は、吸込開口および吹出開口を有し、前記内気の一部は、内気送風機により、前記発熱体収納箱から前記室内吸気口を介して前記本体ケース内へ吸い込まれ、前記熱交換器を通って、前記室内吐出口から前記発熱体収納箱へ吐き出され、外気の一部は、外気送風機により、外部から前記吸込開口および前記室外吸気口を介して前記本体ケース内へ吸い込まれ、前記熱交換器および前記室外吐出口を通って、前記吹出開口から外部へ吹き出され、前記吸込開口は、第１吸込開口および第２吸込開口からなり、前記外気送風機により前記吸込開口を通過する外気は、前記第１吸込開口を通過し、上方または下方または横方向に曲げられた後に前記第２吸込開口を通過することとなり、前記吸込開口の下端は前記室外吸気口の上端よりも高いか、或いは、前記吸込開口の上端は前記室外吸気口の下端よりも低いという構成を有する。
【００１４】
これにより、冷却装置の送風機（外気送風機など）の騒音は、屋外カバーの第１吸込開口と第２吸込開口との間において１回または複数回の回折をした後に外部へ伝わることとなるため音が減衰し、冷却装置から発生する騒音を低減できる。なお、送風機の騒音は、例えば、屋外カバーの裏面部に衝突した後で吸込開口に伝わるものや、送風機から直接吸込開口に伝わるものもある。様々な経路で吸込開口に伝播した騒音は、吸込開口において回折することにより減衰するのである。
【００１５】
以下、本発明の実施の形態について図面を参照しながら説明する。
【００１６】
（実施の形態１）
図１に示すように、冷却装置１は発熱体を収納した発熱体収納箱２の側面などに設けられる。
【００１７】
図１、２に示すように、冷却装置１は屋外カバー３と本体ケース４とから構成され、屋外カバー３は本体ケース４を覆うように取り付けられる。
【００１８】
図３、図４に示すように、冷却装置１は、本体ケース４と、本体ケース４の内部に設けられた熱交換器５を備えている。本体ケース４は、正面部６と、上面部７と、側面部８と、背面部９とからなる。
【００１９】
背面部９は室内吸気口１０および室内吐出口１１を有する。
【００２０】
正面部６は室外吸気口１２および室外吐出口１３を有する。
【００２１】
本体ケース４の内部には、内気送風機１４および外気送風機１５が配置される。
【００２２】
図５に示すように、屋外カバーは前面部１６と上面部１７と、側面部１８と、下面部１９からなる。前面部１６は吸込開口２０と吹出開口２１を有する。
【００２３】
図６に示すように、内気送風機１４により、発熱体収納箱２から室内吸気口１０を介して本体ケース４内へ吸い込まれ、熱交換器５を通って、室内吐出口１１から発熱体収納箱２へ吐き出される。この流れを内気循環風路２４とする。
【００２４】
一方、外気の一部は、外気送風機１５により、外部から吸込開口２０および室外吸気口１２を介して本体ケース４内へ吸い込まれ、熱交換器５および室外吐出口１３を通って、吹出開口２１から外部へ吹き出される。この流れを外気風路２３とする。
【００２５】
発熱体２２により発熱体収納箱２の内気の温度は高くなるため、外気の温度は発熱体収納箱２の内気の温度よりも低くなっている。
【００２６】
熱交換器５を介して、内気循環風路２４における内気と外気風路２３における外気とが熱交換され、内気循環風路２４の内気の温度を下げることができる。すなわち、室内吐出口１１から吐き出される内気の温度を室内吸気口１０から吸い込まれる内気の温度よりも下げることができる。
【００２７】
この結果、冷却装置１は発熱体収納箱２の内気を冷却できるのである。
【００２８】
図６、図７、図８を用いて、本実施形態の特徴部分を説明する。吸込開口２０は、第１吸込開口２０ａおよび第２吸込開口２０ｂからなり、外気送風機１５により吸込開口２０を通過する外気は、第１吸込開口２０ａを通過し、上方または下方または横方向に曲げられた後に第２吸込開口２０ｂを通過することとなり、吸込開口２０の下端は室外吸気口１２の上端よりも高いという構成を有する。
【００２９】
これにより、冷却装置１の送風機（外気送風機１５など）の騒音は、屋外カバー３の第１吸込開口２０ａと第２吸込開口２０ｂとの間において１回または複数回の回折をした後に外部へ伝わることとなるため、音が減衰し、冷却装置１から発生する騒音を低減できる。
【００３０】
また、図７のように屋外カバー３の側面部１８には、図５とは異なるように側面吸込開口２５を設けてもよい。すなわち、図７のように本体ケース４の室外吸気口１２の高さ範囲が側面吸込開口２５の上端と下端との間の範囲に収まるように、室外吸気口１２が配置されるように冷却装置１を構成してもよい。
【００３１】
この構成によれば、冷却装置１として必要な開口面積（室外吸気口１２の開口面積以上）を屋外カバー３の前面吸込開口２０と側面吸込開口２５で確保することとなる。そのため、外気送風機１５からの騒音は屋外カバー３の吸込開口２０と側面吸込開口２５の各々に拡散することとなり、特に冷却装置１の前面吸込開口２０での発生騒音をさらに低減できる。また、前面吸込開口２０の面積をより小さくすることができるので、屋外カバー３を小型化することができる。
【００３２】
また、図７にあるように、前面吹出開口２１は、第１吹出開口２１ａおよび第２吹出開口２１ｂと構成してもよい。外気送風機１５により吹出開口２１を通過する外気は、第２吹出開口２１ｂを通過し、上方または下方または横方向に曲げられた後に第１吹出開口２１ａを通過することとなり、前面吹出開口２１の下端は室外吐出口１３の上端よりも高いという構成にしてもよい。
【００３３】
これにより、室外吐出口１３からの騒音は一度屋外カバー３の裏面部に衝突したのち第１吹出開口２１ａと第２吹出開口２１ｂとの間において１回または複数回の回折をし、前面吹出開口２１から通過することとなるため音が減衰し、冷却装置１から発生する騒音をさらに低減することができる。
【００３４】
また、図８にあるように、図５とは異なるように屋外カバー３の側面部１８は側面吹出開口２６を有し、前面吹出開口２１の下端は室外吐出口１３の上端よりも高く、側面吹出開口２６の下端は、室外吐出口１３の上端よりも高いという構成にしてもよい。
【００３５】
これにより、冷却装置１として必要な開口面積（室外吐出口１３の開口面積以上）を前面吹出開口２１と側面吹出開口２６で確保することとなる。そのため、室外吐出口１３からの騒音は前面吹出開口２１と側面吹出開口２６の各々に拡散することとなり、前面吹出開口２１での発生騒音を低減するという効果をさらに高めることができる。また、前面吹出開口２１の面積をより小さくすることができるので、屋外カバー３を小型化することができる。また、側面吹出開口２６の下端は、本体ケース４の前記室外吐出口１３の上端よりも高いため、側面吹出開口２６を通過する騒音もさらに低減できる。
【００３６】
また、図５にあるように、屋外カバー３の側面部１８には側面吸込開口２５を有し、屋外カバー３の下面部１９には下面吸込開口２７を有し、屋外カバー３の前面部１６において、吹出開口２１の開口面積は、吸込開口２０の開口面積よりも大きいという構成にしてもよい。
【００３７】
これにより、冷却装置１の外気風路２３の圧損を低減できることとなるので、冷却装置１の外気風路２３の通過風量が増加し、熱交換器５の熱交換効率を増加させることができる。なお、吸込開口２０の開口面積を比較的小さくしても、側面吸込開口２５および下面吸込開口２７により外気風路を確保できるので、外気送風機１５から吸込開口２０を通過する騒音をさらに低減することができる。外気送風機１５からの騒音は側面や下面よりも前面に多く伝わるため、吸込開口２０の開口面積を抑えることは、騒音を低減するのに効果的である。
【００３８】
図９は、第１吸込開口２０ａの例を示す。
【００３９】
図１０に示すように、第２吸込開口２０ｂは複数のルーバ２８の隙間により構成されている。
【００４０】
図９、図１０に示すように、吸込開口２０は、第１吸込開口２０ａおよび第２吸込開口２０ｂからなり、外気送風機１５により吸込開口２０を通過する外気は、第１吸込開口２０ａを通過し、ルーバ２８によって上方または下方または横方向に曲げられた後に第２吸込開口２０ｂを通過することとなるのである。
【００４１】
また、図１０、図１１に示すように、ルーバ２８は傾斜部２９を含み、傾斜部２９は下方から上方に向かって本体ケース４の側に傾斜しているという構成にしてもよい。これにより、太陽光３１がルーバ２８の傾斜部２９により遮られて、本体ケース４の外気送風機１５部分に届きにくい構造となるので、太陽光３１によって外気送風機１５が劣化しにくくなる。なお、図１１の×印は太陽光３１をルーバ２８によって遮っていることを表している。
【００４２】
また、図１２に示すように、吸込開口２０は、前記第１吸込開口２０ａと第２吸込開口２０ｂとの間に第３吸込開口２０ｃを有し、外気送風機１５により吸込開口２０を通過する外気は、第１吸込開口２０ａを通過し、上方または下方または横方向に曲げられた後に第３吸込開口２０ｃを通過し、さらに上方または下方または横方向に曲げられた後に第２吸込開口２０ｂを通過するという構成にしてもよい。これにより、冷却装置１の外気送風機１５から発生する騒音は吸込開口２０でより複雑に回折することとなるので、冷却装置１から発生する騒音の低減効果をさらに高めることができる。なお、吹出開口２１に関しても同様の構造にしてもよい。
【００４３】
また、外気送風機１５により第１吸込開口２０ａを通過したすべての外気は、第２吸込開口２０ｂを通過することが完了する前に上方または下方または横方向に曲げられることを特徴とするという構成にしてもよい。冷却装置１の外気送風機１５から発生する騒音は吸込開口２０でより複雑に回折することとなるので、冷却装置１から発生する騒音の低減効果をさらに高めることができる。
【００４４】
また、吸込開口２０または吹出開口２１の正面投影開口面積は実質的にゼロが好ましい。これにより、吸込開口２０または吹出開口２１での遮音効果がより高まり、冷却装置１から発生する騒音の低減効果をさらに高めることができる。ここで、正面投影開口面積とは、屋外カバー３の前面部１６を真正面から見た場合に投影される開口面積のことである。吸込開口２０または吹出開口２１の正面投影開口面積は実質的にゼロであるため、吸込開口２０または吹出開口２１を通過する空気は、前面部１６に垂直な方向において、真っ直ぐに進まない。騒音もまた吸込開口２０または吹出開口２１を通過する際に、前面部１６に垂直な方向において、真っ直ぐに進まないため、冷却装置１から発生する騒音の低減効果をさらに高めることができるのである。
【００４５】
また、第１吹出開口２１ａも、図９のような第１吸込開口２０ａの形状としても良い。
【００４６】
また、第２吹出開口２１ｂも、図１０のような第２吸込開口２０ｂの形状としても良い。
【００４７】
なお、実施の形態では、吸込開口２０の下端は室外吸気口１２の上端よりも高いとしたが、吸込開口２０の上端は室外吸気口１２の下端よりも低いという構成にしても同様の効果を得ることができる。
【００４８】
また、実施の形態では、吹出開口２１の下端は室外吐出口１３の上端よりも高いとしたが、吹出開口２１の上端は室外吐出口１３の下端よりも低いという構成にしても同様の効果を得ることができる。
【００４９】
また、実施の形態では、吸込開口２０は第１吸込開口２０ａおよび第２吸込開口２０ｂからなることを説明したが、吸込開口２０は通常の単なる開口であり、吹出開口２１だけが第１吹出開口２１ａおよび第２吹出開口２１ｂからなるという構成も可能である。
【００５０】
以下、実施の形態について、補足する。
【００５１】
本発明の一態様に係る冷却装置１は、本体ケース４と、前記本体ケース４の内部に設けられた熱交換器５と、前記本体ケース４を覆う屋外カバー３とを備え、発熱体収納箱２の内部の空気である内気を冷却する冷却装置１であって、前記本体ケース４は、正面部６、上面部７、側面部８、下面部（不図示）、背面部９からなり、前記背面部９は、室内吸気口１０および室内吐出口１１を有し、前記正面部６は、室外吸気口１２および室外吐出口１３を有し、前記屋外カバー３は、前面部１６、上面部１７、側面部１８、下面部１９からなり、前記前面部１６は、吸込開口２０および吹出開口２１を有し、前記内気の一部は、内気送風機１４により、前記発熱体収納箱２から前記室内吸気口１０を介して前記本体ケース４内へ吸い込まれ、前記熱交換器５を通って、前記室内吐出口１１から前記発熱体収納箱２へ吐き出され、外気の一部は、外気送風機１５により、外部から前記吸込開口２０および前記室外吸気口１２を介して前記本体ケース４内へ吸い込まれ、前記熱交換器５および前記室外吐出口１３を通って、前記吹出開口２１から外部へ吹き出され、前記吸込開口２０は、第１吸込開口２０ａおよび第２吸込開口２０ｂからなり、前記外気送風機１５により前記吸込開口２０を通過する外気は、前記第１吸込開口２０ａを通過し、上方または下方または横方向に曲げられた後に前記第２吸込開口２０ｂを通過することとなり、前記吸込開口２０の下端は前記室外吸気口１２の上端よりも高いか、或いは、前記吸込開口２０の上端は前記室外吸気口１２の下端よりも低いという構成を有する。
【００５２】
これにより、冷却装置１の送風機（外気送風機１５など）の騒音は、屋外カバー３の第１吸込開口２０ａと第２吸込開口２０ｂとの間において１回または複数回の回折をした後に外部へ伝わることとなるため音が減衰し、冷却装置１から発生する騒音を低減できる。なお、送風機の騒音は、例えば、屋外カバー３の裏面部に衝突した後で吸込開口２０に伝わるものや、送風機から直接吸込開口２０に伝わるものもある。様々な経路で吸込開口２０に伝播した騒音は、吸込開口２０において回折することにより減衰するのである。
【００５３】
また、前記屋外カバー３の前記側面部１８は側面吸込開口２５を有し、前記本体ケース４の前記室外吸気口１２の高さ範囲が前記側面吸込開口２５の上端と下端との間の範囲に収まるように、前記室外吸気口１２が配置されているという構成にしてもよい。
【００５４】
これにより、冷却装置１として必要な開口面積（本体ケース４の前記室外吸気口１２の開口面積以上）を屋外カバー３の前面吸込開口２０および側面吸込開口２５により確保することができる。そのため、外気送風機１５からの騒音は屋外カバー３の前面吸込開口２０と側面吸込開口２５の各々に拡散することとなり、特に前面吸込開口２０で発生する騒音を低減するという効果をさらに高めることができる。また、上記構成により前面吸込開口２０の開口面積を小さくすることができるので、屋外カバー３を小さくすることも可能である。
【００５５】
また、前記吹出開口２１は、第１吹出開口２１ａおよび第２吹出開口２１ｂからなり、前記外気送風機１５により前記吹出開口２１を通過する外気は、前記第２吹出開口２１ｂを通過し、上方または下方または横方向に曲げられた後に前記第１吹出開口２１ａを通過することとなり、前記吹出開口２１の下端は前記室外吐出口１３の上端よりも高いか、或いは、前記吹出開口２１の上端は前記室外吐出口１３の下端よりも低いという構成にしてもよい。
【００５６】
これにより、本体ケース４の室外吐出口１３からの騒音は、屋外カバー３の第１吹出開口２１ａと第２吹出開口２１ｂとの間において１回または複数回の回折をした後に外部へ伝わるため音、が減衰し、冷却装置１から発生する騒音をさらに低減できる。なお、室外吐出口１３からの騒音は、例えば、屋外カバー３の裏面部に衝突した後で吹出開口２１に伝わるものや、室外吐出口１３から直接吹出開口２１に伝わるものもある。様々な経路で吹出開口２１に伝播した騒音は、吹出開口２１において回折することにより減衰するのである。
【００５７】
また、前記吹出開口２１の下端は前記室外吐出口１３の上端よりも高く、屋外カバー３の前記側面部１８は側面吹出開口２６を有し、前記側面吹出開口２６の下端は、前記本体ケース４の前記室外吐出口１３の上端よりも高いという構成にしてもよい。
【００５８】
これにより、冷却装置１として必要な開口面積（本体ケース４の室外吐出口１３の開口面積以上）を屋外カバー３の前面吹出開口２１と側面吹出開口２６で確保することができる。そのため、本体ケース４の室外吐出口１３からの騒音は屋外カバー３の前面吹出開口２１と側面吹出開口２６の各々に拡散することとなり、冷却装置１の前面吹出開口２１で発生する騒音を低減するという効果をさらに高めることができる。また、上記の構成よりも前面吹出開口２１の開口面積を小さくすることができるので、屋外カバーを小さくするという効果をさらに高めることができる。また、前記側面吹出開口２６の下端は、前記本体ケース４の前記室外吐出口１３の上端よりも高いため、側面吹出開口２６を通過する騒音もさらに低減できる。
【００５９】
また、前記屋外カバー３の前記側面部１８は側面吸込開口２５を有し、前記屋外カバー３の前記下面部１９は下面吸込開口２７を有し、前記屋外カバー３の前記前面部１６において、前記吹出開口２１の開口面積は、前記吸込開口２０の開口面積よりも大きいという構成にしてもよい。
【００６０】
これにより、冷却装置１の外気風路圧損を低減できることとなるので、冷却装置１の室外側の通過風量が増加し、熱交換器５の熱交換効率をさらに増加させることができる。なお、吸込開口２０の開口面積を比較的小さくしても、側面吸込開口２５および下面吸込開口２７により外気風路を確保できるので、外気送風機１５から吸込開口２０を通過する騒音をさらに低減することができる。外気送風機１５からの騒音は側面や下面よりも前面に多く伝わるため、吸込開口２０の開口面積を抑えることは、騒音を低減するのに効果的である。
【００６１】
また、前記第２吸込開口２０ｂは複数のルーバ２８の隙間により構成されており、前記ルーバ２８は傾斜部２９を含み、前記傾斜部２９は下方から上方に向かって前記本体ケース４の側に傾斜しているという構成にしてもよい。
【００６２】
これにより、太陽光３１がルーバ２８の傾斜部２９により遮られて、本体ケース４の外気送風機１５に届きにくい構造となるので、太陽光３１によって外気送風機部が劣化しにくくなるという効果を奏する。
【００６３】
また、前記吸込開口２０は、前記第１吸込開口２０ａと前記第２吸込開口２０ｂとの間に第３吸込開口２０ｃを有し、前記外気送風機１５により前記吸込開口２０を通過する外気は、前記第１吸込開口２０ａを通過し、上方または下方または横方向に曲げられた後に前記第３吸込開口２０ｃを通過し、さらに上方または下方または横方向に曲げられた後に前記第２吸込開口２０ｂを通過するという構成にしてもよい。
【００６４】
これにより、冷却装置１の外気送風機１５から発生する騒音は吸込開口２０においてより複雑に回折することとなるので、冷却装置１から発生する騒音の低減効果をさらに高めることができる。
【００６５】
また、前記外気送風機１５により前記第１吸込開口２０ａを通過したすべての外気は、前記第２吸込開口２０ｂを通過することが完了する前に上方または下方または横方向に曲げられるという構成にしてもよい。
【００６６】
これにより、冷却装置１の外気送風機１５から発生する騒音は吸込開口２０においてより複雑に回折することとなるので、冷却装置１から発生する騒音の低減効果をさらに高めることができる。
【００６７】
また、前記吸込開口２０の正面投影開口面積はゼロであるという構成にしてもよい。
【００６８】
これにより、冷却装置１の外気送風機１５から発生する騒音は吸込開口２０においてより複雑に回折することとなるので、冷却装置１から発生する騒音の低減効果をさらに高めることができる。
【産業上の利用可能性】
【００６９】
本発明に係る冷却装置は、冷却装置から発生する騒音を低減できる発熱体収納箱の冷却装置等として有用である。
【符号の説明】
【００７０】
１    冷却装置
２    発熱体収納箱
３    屋外カバー
４    本体ケース
５    熱交換器
６    正面部
７    上面部
８    側面部
９    背面部
１０    室内吸気口
１１    室内吐出口
１２    室外吸気口
１３    室外吐出口
１４    内気送風機
１５    外気送風機
１６    前面部
１７    上面部
１８    側面部
１９    下面部
２０    吸込開口
２０ａ    第１吸込開口
２０ｂ    第２吸込開口
２０ｃ    第３吸込開口
２１    吹出開口
２１ａ    第１吹出開口
２１ｂ    第２吹出開口
２２    発熱体
２３    外気風路
２４    内気循環風路
２５    側面吸込開口
２６    側面吹出開口
２７    下面吸込開口
２８    ルーバ
２９    傾斜部
３１    太陽光
【図１】
2017150768.tif 000003
【図２】
2017150768.tif 000004
【図３】
2017150768.tif 000005
【図４】
2017150768.tif 000006
【図５】
2017150768.tif 000007
【図６】
2017150768.tif 000008
【図７】
2017150768.tif 000009
【図８】
2017150768.tif 000010
【図９】
2017150768.tif 000011
【図１０】
2017150768.tif 000012
【図１１】
2017150768.tif 000013
【図１２】
2017150768.tif 000014
【図１３】
2017150768.tif 000015